【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
誘電体プレートと、該誘電体プレートの一面に少なくとも金属層が設けられてなるセンサ部とからなるセンサチップを用意し、
前記センサ部に液体試料を接触させることにより、該センサ部上に、該液体試料中の被検出物質の量に応じた量の蛍光標識結合物質を結合させ、
前記センサ部に励起光を照射することにより、該センサ部上に増強した光電場を生じさせ、該増強した光電場内において前記蛍光標識結合物質の蛍光標識を励起し、該蛍光標識の励起に起因して生じる光の量に基づいて、前記被検出物質の量を検出する検出方法において、
前記蛍光標識として、複数の蛍光色素分子を、該蛍光色素分子からの蛍光を透過する材料により包含してなる、帯電した蛍光物質を用い、
前記センサ部に前記蛍光標識結合物質を結合させた状態で、前記液体試料に対して電圧を印加することにより、前記帯電した蛍光物質を該センサ部に引き寄せ、該蛍光物質を引き寄せた状態で前記被検出物質の量を検出することを特徴とする検出方法。
【請求項２】
前記蛍光物質として、少なくとも液体試料中で極性を示す官能基が表面修飾された蛍光物質を用いることを特徴とする請求項１記載の検出方法。
【請求項３】
前記蛍光物質の粒径が３０ｎｍ以上であることを特徴とする請求項１または２記載の検出方法。
【請求項４】
前記液体試料に接触する位置に対向電極を配置し、該対向電極と、前記誘電体プレート上の前記金属層との間に電圧を印加することにより、前記液体試料に対して前記電圧を印加することを特徴とする請求項１から３いずれか１項記載の検出方法。
【請求項５】
前記センサ部に、前記蛍光標識結合物質を結合させる際に、前記液体試料に対して、前記帯電した蛍光物質を前記センサ部に引き寄せる第１の電圧を印加し、
前記蛍光標識結合物質を結合させた後、前記第１の電圧の印加を停止し、該第１の電圧とは逆向きの電場を生じさせる第２の電圧を印加し、前記液体試料中の、前記センサ部に結合していない蛍光標識結合物質を該センサ部上から除去し、
その後、前記被検出物質の量を検出することを特徴とする請求項１から４いずれか１項記載の検出方法。
【請求項６】
前記励起光の照射により前記金属層にプラズモンを励起し、該プラズモンにより前記増強した光電場を生じさせ、
前記蛍光標識の励起に起因して生じる前記光として、該励起によって該蛍光標識から生じる蛍光を検出することにより前記被検出物質の量を検出することを特徴とする請求項１から５いずれか１項記載の検出方法。
【請求項７】
前記励起光の照射により前記金属層にプラズモンを励起し、該プラズモンにより前記増強した光電場を生じさせ、
前記蛍光標識の励起に起因して生じる前記光として、該励起によって該蛍光標識から生じる蛍光が前記金属層に新たにプラズモンを誘起することにより、前記誘電体プレートの前記他面から放射される放射光を検出することにより前記被検出物質の量を検出することを特徴とする請求項１から５いずれか１項記載の検出方法。
【請求項８】
前記センサチップとして、前記金属層上に光導波層を備えたものを用い、
前記励起光の照射により前記光導波層に光導波モードを励起し、該光導波モードにより前記増強した光電場を生じさせ、
前記蛍光標識の励起に起因して生じる前記光として、該励起によって該蛍光標識から生じる蛍光を検出することにより前記被検出物質の量を検出することを特徴とする請求項１から５いずれか１項記載の検出方法。
【請求項９】
前記センサチップとして、前記金属層上に光導波層を備えたものを用い、
前記励起光の照射により前記光導波層に光導波モードを励起し、該光導波モードにより前記増強した光電場を生じさせ、
前記蛍光標識の励起に起因して生じる前記光として、該励起によって該蛍光標識から生じる蛍光が前記金属層に新たにプラズモンを誘起することにより、前記誘電体プレートの前記他面から放射される放射光を検出することにより前記被検出物質の量を検出することを特徴とする請求項１から５いずれか１項記載の検出方法。
【請求項１０】
請求項１から９いずれか１項に記載の検出方法に用いられる検出装置であって、
前記センサチップを収容する収容部と、
前記センサ部に前記励起光を照射する励起光照射光学系と、
該励起光の照射により該センサ部上に生じた前記増強した光電場における、前記蛍光標識の励起に起因して生じる光を検出する光検出手段と、
前記収容部に前記センサチップを収容した際に、前記液体試料に対して電圧を印加する電圧印加手段とを備えたことを特徴とする検出装置。
【請求項１１】
請求項１から９いずれか１項に記載の検出方法において使用される検出用試料セルであって、
液体試料が流下される流路を有する基台と、
前記流路の上流側に設けられた該流路に前記液体試料を注入するための注入口と、
前記流路の下流側に設けられた、前記注入口から注入された前記液体試料を該下流側に流すための空気孔と、
前記流路の、前記注入口と前記空気孔との間に設けられたセンサチップ部であって、前記流路の内壁面の少なくとも一部として設けられた誘電体プレートと、該プレートの試料接触面に設けられた少なくとも金属層を含むセンサ部とからなるセンサチップ部とを備えてなることを特徴とする検出用試料セル。
【請求項１２】
前記センサ部に、前記蛍光標識結合物質と結合する固定層を備えていることを特徴とする請求項１１記載の検出用試料セル。
【請求項１３】
複数の蛍光色素分子を、該蛍光色素分子からの蛍光を透過する材料により包含してなる、帯電した蛍光物質を、前記蛍光標識として含む前記蛍光標識結合物質が、前記流路内の、前記センサ部より上流側に固定されていることを特徴とする請求項１２記載の検出用試料セル。
【請求項１４】
前記センサ部において、前記金属層上に光導波層が備えられていることを特徴とする請求項１１から１３いずれか１項記載の検出用試料セル。
【請求項１５】
請求項１から９のいずれか１項に記載の検出方法に使用される検出用キットであって、
液体試料が流下される流路を有する基台と、前記流路の上流側に設けられた該流路に前記液体試料を注入するための注入口と、前記流路の下流側に設けられた、前記注入口から注入された前記液体試料を該下流側に流すための空気孔と、前記流路の、前記注入口と前記空気孔との間に設けられたセンサチップ部であって、前記流路の内壁面の少なくとも一部として設けられた誘電体プレートと、該プレートの試料接触面に設けられた少なくとも金属層を含むセンサ部とからなるセンサチップ部と、該センサ部上に固定された、前記蛍光標識結合物質と結合する固定層とを備えた試料セル、および
前記液体試料と同時もしくは前記液体試料の流下後に、前記流路内に流下される、複数の蛍光色素分子を、該蛍光色素分子からの蛍光を透過する材料により包含してなる帯電した蛍光物質を、前記蛍光標識として含む前記蛍光標識結合物質を含んだ標識用溶液を備えてなることを特徴とする検出用キット。
【請求項１６】
前記センサ部において、前記金属層上に光導波層が備えられていることを特徴とする請求項１５記載の検出用キット。
【手続補正２】
【補正対象書類名】明細書
【補正対象項目名】０１４１
【補正方法】変更
【補正の内容】
【０１４１】
（検査用キットの設計変更例）
光導波モードによる光電場増強を利用する検出方法および装置に用いる試料セルとしては、図１４に示す、センサ部の金属層５８ａ、５９ａ上にさらに光導波層５８ｂ、５９ｂを備え試料セルの光導波層５８ｂ、５９ｂ上に、それぞれ１次抗体Ｂ１、１次抗体Ｂ１とは異なる１次抗体Ｂ０を固定したものを用いればよい。